(57)【要約】【課題】定型のシートに一旦印刷された画像情報を容易に取込むことができる。【解決手段】ハードディスクレコーダ１０は、ＵＳＢＩ／Ｆ３８と、ＨＤ装置２２と、制御部３６とを含む。ＵＳＢＩ／Ｆ３８は、オートシートフィーダ付スキャナ１６と通信する。ＨＤ装置２２は、画像情報のデータを記録する。制御部３６は、ＵＳＢＩ／Ｆ３８およびＨＤ装置２２を制御する。制御部３６は、オートシートフィーダ付スキャナ１６に対し画像情報の取込みを指令するように、ＵＳＢＩ／Ｆ３８を制御する。制御部３６は、オートシートフィーダ付スキャナ１６からＵＳＢＩ／Ｆ３８が画像情報のデータを受信すると、画像情報のデータを記録するように、ＨＤ装置２２を制御する。制御部３６は、ＵＳＢＩ／Ｆ３８を再度制御する。【選択図】図２
2008099131.tif 000002
【特許請求の範囲】
【請求項１】
画像情報を取込むオートシートフィーダ付き走査器と通信するための通信手段と、
前記画像情報のデータを記録するための記録手段と、
前記通信手段および前記記録手段を制御するための制御手段とを含み、
前記制御手段は、
前記オートシードフィーダが送り込んだシートの表面に表われた画像についての前記画像情報の取込みを指令する指令信号を前記オートシートフィーダ付き走査器に対し送信するように、前記通信手段を制御するための指令制御手段と、
前記通信手段が前記オートシートフィーダ付き走査器から前記画像情報のデータを受信すると、前記画像情報のデータを記録するように、前記記録手段を制御するための記録制御手段と、
前記通信手段が前記走査器から前記画像情報のデータを受信した場合、前記画像情報のデータを前記記録手段が記録すると、前記通信手段を再度制御するように、前記指令制御手段を制御するための繰返し制御手段とを含む、画像記録装置。
【請求項２】
画像情報を取込む走査器と通信するための通信手段と、
前記画像情報のデータを記録するための記録手段と、
前記通信手段および前記記録手段を制御するための制御手段とを含み、
前記制御手段は、
前記画像情報の取込みを指令する指令信号を前記走査器に対し送信するように、前記通信手段を制御するための指令制御手段と、
前記通信手段が前記走査器から前記画像情報のデータを受信すると、前記画像情報のデータを記録するように、前記記録手段を制御するための記録制御手段と、
前記通信手段を再度制御するように、前記指令制御手段を制御するための繰返し制御手段とを含む、画像記録装置。
【請求項３】
前記繰返し制御手段は、前記通信手段が前記走査器から前記画像情報のデータを受信した場合、前記通信手段を再度制御するように、前記指令制御手段を制御するための手段を含む、請求項２に記載の画像記録装置。
【請求項４】
前記繰返し制御手段は、前記通信手段が前記走査器から前記画像情報のデータを受信した場合、前記画像情報のデータを前記記録手段が記録すると、前記通信手段を再度制御するように、前記指令制御手段を制御するための手段を含む、請求項２に記載の画像記録装置。
【請求項５】
前記走査器は、オートシートフィーダを含み、
前記指令制御手段は、前記オートシードフィーダが送り込んだシートの表面に表われた画像についての前記指令信号を送信するように、前記通信手段を制御するための手段を含み、
前記繰返し制御手段は、前記通信手段が前記走査器から前記画像情報のデータを受信した場合、前記画像情報のデータを前記記録手段が記録すると、前記通信手段を再度制御するように、前記指令制御手段を制御するための手段を含む、請求項２に記載の画像記録装置。
【請求項６】
前記記録制御手段は、１度の通信により受信した前記画像情報のデータを１つの画像ファイルとして記録するように、前記記録手段を制御するための手段を含む、請求項２に記載の画像記録装置。
【請求項７】
前記制御手段は、
複数の前記画像情報の、優先順位の情報を生成するための順位生成手段と、
前記優先順位の情報のデータを記録するように、前記記録手段を制御するための手段とをさらに含む、請求項２に記載の画像記録装置。
【請求項８】
画像情報を取込む走査器と前記画像情報のデータを記録する画像記録装置とを含む画像データ記録システムであって、
前記画像記録装置は、
前記走査器と通信するための通信手段と、
前記画像情報のデータを記録するための記録手段と、
前記通信手段および前記記録手段を制御するための制御手段とを含み、
前記制御手段は、
前記画像情報の取込みを指令する指令信号を前記走査器に対し送信するように、前記通信手段を制御するための指令制御手段と、
前記通信手段が前記走査器から前記画像情報のデータを受信すると、前記画像情報のデータを記録するように、前記記録手段を制御するための記録制御手段と、
前記通信手段を再度制御するように、前記指令制御手段を制御するための繰返し制御手段とを含む、画像データ記録システム。
【請求項９】
画像情報を取込む走査器と通信するための通信手段と、
画像情報のデータを記録するための記録手段と、
前記通信手段および前記記録手段を制御するための制御手段とを含むコンピュータが実行する画像記録方法であって、
前記画像記録方法は、
前記画像情報の取込みを指令する指令信号を前記走査器に対し送信するように、前記制御手段が前記通信手段を制御する指令制御ステップと、
前記通信手段が前記走査器から前記画像情報のデータを受信すると、前記画像情報のデータを記録するように、前記制御手段が前記記録手段を制御する記録制御ステップと、
前記指令制御ステップおよび前記記録制御ステップを繰返す繰返し制御ステップとを含む、画像記録方法。
【請求項１０】
画像情報を取込む走査器と通信するための通信手段と、
画像情報のデータを記録するための記録手段と、
前記通信手段および前記記録手段を制御するための制御手段とを含むコンピュータが実行する画像記録プログラムであって、
前記画像記録プログラムは、
前記画像情報の取込みを指令する指令信号を前記走査器に対し送信するように、前記制御手段が前記通信手段を制御する指令制御ステップと、
前記通信手段が前記走査器から前記画像情報のデータを受信すると、前記画像情報のデータを記録するように、前記制御手段が前記記録手段を制御する記録制御ステップと、
前記指令制御ステップおよび前記記録制御ステップを繰返す繰返し制御ステップとを含む、画像記録プログラム。
【請求項１１】
画像情報を取込む走査器と通信するための通信手段と、
画像情報のデータを記録するための記録手段と、
前記通信手段および前記記録手段を制御するための制御手段とを含むコンピュータが実行する画像記録プログラムを記録したコンピュータ読取り可能な記録媒体であって、
前記画像記録プログラムは、
前記画像情報の取込みを指令する指令信号を前記走査器に対し送信するように、前記制御手段が前記通信手段を制御する指令制御ステップと、
前記通信手段が前記走査器から前記画像情報のデータを受信すると、前記画像情報のデータを記録するように、前記制御手段が前記記録手段を制御する記録制御ステップと、
前記指令制御ステップおよび前記記録制御ステップを繰返す繰返し制御ステップとを含む各ステップをコンピュータに実行させる画像記録プログラムを記録したコンピュータ読取り可能な記録媒体。
【発明の詳細な説明】
【技術分野】
【０００１】
本発明は、画像記録装置、画像データ記録システム、画像記録方法、画像記録プログラム、および画像記録プログラムを記録したコンピュータ読取り可能な記録媒体に関し、特に、デジタル記録または再生のための画像記録装置、画像データ記録システム、画像記録方法、画像記録プログラム、および画像記録プログラムを記録したコンピュータ読取り可能な記録媒体に関する。
【背景技術】
【０００２】
特許文献１は、複数の記録媒体に記録された記録情報を蓄積し、蓄積された情報の中から検索された情報を再生する情報記録再生装置を開示する。情報記録再生装置は、スキャナと、記憶部と、表示部と、操作部とを有する。スキャナは、画像情報を取込む。記憶部は、スキャナにより取込まれた画像情報と記録媒体に記録された記録情報とを関連付けて蓄積する。表示部は、記憶部に記憶された画像情報を表示する。操作部は、表示部に表示された画像情報を参照しながら記憶部に蓄積された情報の検索および再生を操作する。
【０００３】
特許文献１に開示された発明によると、表示画像の取込み作業が煩わしいという問題や、小形化が困難で薄型のデザインが得にくいという問題を解決できる。
【０００４】
特許文献２は、光ディスクへのデータの書込みが内周側から外周側へ進むにつれてデータ書込み速度を上昇させるデータ書込みシステムを開示する。データ書込みシステムは、記憶装置、データ書込み装置、および制御装置を備える。記憶装置は、スキャナにより読み込まれたデータを記憶する。データ書込み装置は、記憶装置に記憶されたデータを光ディスクに書込む。制御装置は、書込むべきデータのデータ量と光ディスクの容量とを比較する。制御装置は、できる限り速い速度で光ディスクへの書込みを開始するようにデータ書込み装置に指示を与える。
【０００５】
特許文献２に開示された発明によると、スキャナにより読み込まれたデータの量が少ない場合であっても、効率的に光ディスクへの書込みを行うことができる。
【０００６】
特許文献３は、スキャナによって読込まれたデジタルデータをパターンデータに変換し、パターンデータをアナログ化して記録媒体に記録し、所望の時期に記録媒体からアナログ化パターンデータを読出して、アナログ化パターンデータをデジタル化して得たパターンデータを変換してデジタルデータを復元する、データの保存／復元方法を開示する。
【０００７】
特許文献３に開示された発明によると、劣化させたり変質させたりすることなくデータを保存／復元できる。
【特許文献１】特開２００５−１１４２４号公報
【特許文献２】特開２００５−１９６８４４号公報
【特許文献３】特開平１０−３１２６３２号公報
【発明の開示】
【発明が解決しようとする課題】
【０００８】
しかし、特許文献１〜３に開示された発明では、年賀状その他定型のシートに一旦印刷された画像情報の取込み作業が煩わしくなるという問題点がある。
【０００９】
本発明は上述の問題点を解決するためになされたものであって、その目的は、定型のシートに一旦印刷された画像情報を容易に取込むことができる画像記録装置、画像データ記録システム、画像記録方法、画像記録プログラム、および画像記録プログラムを記録したコンピュータ読取り可能な記録媒体を提供することにある。
【課題を解決するための手段】
【００１０】
上記目的を達成するために、本発明のある局面にしたがうと、画像記録装置は、通信手段と、記録手段と、制御手段とを含む。通信手段は、画像情報を取込むオートシートフィーダ付き走査器と通信する。記録手段は、画像情報のデータを記録する。制御手段は、通信手段および記録手段を制御する。制御手段は、指令制御手段と、記録制御手段と、繰返し制御手段とを含む。指令制御手段は、オートシードフィーダが送り込んだシートの表面に表われた画像についての画像情報の取込みを指令する指令信号をオートシートフィーダ付き走査器に対し送信するように、通信手段を制御する。記録制御手段は、通信手段がオートシートフィーダ付き走査器から画像情報のデータを受信すると、画像情報のデータを記録するように、記録手段を制御する。繰返し制御手段は、通信手段が走査器から画像情報のデータを受信した場合、画像情報のデータを記録手段が記録すると、通信手段を再度制御するように、指令制御手段を制御する。
【００１１】
本発明の他の局面にしたがうと、画像記録装置は、通信手段と、記録手段と、制御手段とを含む。通信手段は、画像情報を取込む走査器と通信する。記録手段は、画像情報のデータを記録する。制御手段は、通信手段および記録手段を制御する。制御手段は、指令制御手段と、記録制御手段と、繰返し制御手段とを含む。指令制御手段は、画像情報の取込みを指令する指令信号を走査器に対し送信するように、通信手段を制御する。記録制御手段は、通信手段が走査器から画像情報のデータを受信すると、画像情報のデータを記録するように、記録手段を制御する。繰返し制御手段は、通信手段を再度制御するように、指令制御手段を制御する。
【００１２】
また、上述した繰返し制御手段は、通信手段が走査器から画像情報のデータを受信した場合、通信手段を再度制御するように、指令制御手段を制御するための手段を含むことが望ましい。
【００１３】
また、上述した繰返し制御手段は、通信手段が走査器から画像情報のデータを受信した場合、画像情報のデータを記録手段が記録すると、通信手段を再度制御するように、指令制御手段を制御するための手段を含むことが望ましい。
【００１４】
また、上述した走査器は、オートシートフィーダを含むことが望ましい。併せて、指令制御手段は、オートシードフィーダが送り込んだシートの表面に表われた画像についての指令信号を送信するように、通信手段を制御するための手段を含むことが望ましい。併せて、繰返し制御手段は、通信手段が走査器から画像情報のデータを受信した場合、画像情報のデータを記録手段が記録すると、通信手段を再度制御するように、指令制御手段を制御するための手段を含むことが望ましい。
【００１５】
また、上述した記録制御手段は、１度の通信により受信した画像情報のデータを１つの画像ファイルとして記録するように、記録手段を制御するための手段を含むことが望ましい。
【００１６】
また、上述した制御手段は、順位生成手段と、記録手段を制御するための手段とをさらに含むことが望ましい。順位生成手段は、複数の画像情報の、優先順位の情報を生成する。記録手段を制御するための手段は、優先順位の情報のデータを記録するように、記録手段を制御する。
【００１７】
本発明の他の局面に従うと、画像データ記録システムは、走査器と画像記録装置とを含む。走査器は、画像情報を取込む。画像記録装置は、画像情報のデータを記録する。画像記録装置は、通信手段と、記録手段と、制御手段とを含む。通信手段は、走査器と通信する。記録手段は、画像情報のデータを記録する。制御手段は、通信手段および記録手段を制御する。制御手段は、指令制御手段と、記録制御手段と、繰返し制御手段とを含む。指令制御手段は、画像情報の取込みを指令する指令信号を走査器に対し送信するように、通信手段を制御する。記録制御手段は、通信手段が走査器から画像情報のデータを受信すると、画像情報のデータを記録するように、記録手段を制御する。繰返し制御手段は、通信手段を再度制御するように、指令制御手段を制御する。
【００１８】
本発明の他の局面に従うと、画像記録方法は、画像情報を取込む走査器と通信するための通信手段と、画像情報のデータを記録するための記録手段と、通信手段および記録手段を制御するための制御手段とを含むコンピュータが実行する方法である。画像記録方法は、指令制御ステップと、記録制御ステップと、繰返し制御ステップとを含む。指令制御ステップは、画像情報の取込みを指令する指令信号を走査器に対し送信するように、制御手段が通信手段を制御する。記録制御ステップは、通信手段が走査器から画像情報のデータを受信すると、画像情報のデータを記録するように、制御手段が記録手段を制御する。繰返し制御ステップは、指令制御ステップおよび記録制御ステップを繰返す。
【００１９】
本発明の他の局面に従うと、画像記録プログラムは、画像情報を取込む走査器と通信するための通信手段と、画像情報のデータを記録するための記録手段と、通信手段および記録手段を制御するための制御手段とを含むコンピュータが実行するプログラムである。画像記録プログラムは、指令制御ステップと、記録制御ステップと、繰返し制御ステップとを含む。指令制御ステップは、画像情報の取込みを指令する指令信号を走査器に対し送信するように、制御手段が通信手段を制御する。記録制御ステップは、通信手段が走査器から画像情報のデータを受信すると、画像情報のデータを記録するように、制御手段が記録手段を制御する。繰返し制御ステップは、指令制御ステップおよび記録制御ステップを繰返す。
【００２０】
本発明の他の局面に従うと、記録媒体は、画像情報を取込む走査器と通信するための通信手段と、画像情報のデータを記録するための記録手段と、通信手段および記録手段を制御するための制御手段とを含むコンピュータが実行する画像記録プログラムを記録したコンピュータ読取り可能な記録媒体である。画像記録プログラムは、指令制御ステップと、記録制御ステップと、繰返し制御ステップとを含む各ステップをコンピュータに実行させる。指令制御ステップは、画像情報の取込みを指令する指令信号を走査器に対し送信するように、制御手段が通信手段を制御する。記録制御ステップは、通信手段が走査器から画像情報のデータを受信すると、画像情報のデータを記録するように、制御手段が記録手段を制御する。繰返し制御ステップは、指令制御ステップおよび記録制御ステップを繰返す。
【発明の効果】
【００２１】
本発明に係る画像記録装置、画像データ記録システム、画像記録方法、画像記録プログラム、および画像記録プログラムを記録したコンピュータ読取り可能な記録媒体は、定型のシートに一旦印刷された画像情報を容易に取込むことができる。
【発明を実施するための最良の形態】
【００２２】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２３】
図１は、本実施の形態に係る葉書アルバム作成システムの構成を表わす図である。図１を参照して、本実施の形態に係る葉書アルバム作成システムは、ハードディスクレコーダ１０と、モニタ装置１４と、オートシートフィーダ付スキャナ１６とを含む。
【００２４】
ハードディスクレコーダ１０は、２種類のデジタル記録メディア再生装置を内蔵し、記録メディアから再生されたコンテンツなど供給される各種コンテンツを、装置外部に予め接続されたモニタ装置１４に映像信号または音声信号として視聴可能なように出力する装置である。
【００２５】
ハードディスクレコーダ１０は、オートシートフィーダ付スキャナ１６が取込んだ葉書の画像情報を基に、そのサムネイルとその葉書に記載された送り元の住所などの情報とを含むファイルを作成する装置でもある。なお、本実施の形態において、このファイルを「葉書アルバム」と称する。
【００２６】
モニタ装置１４は、ハードディスクレコーダ１０が映像信号または音声信号として視聴可能なように出力した各種コンテンツを表示する装置である。葉書アルバムの画像もモニタ装置１４の画面に表示される。
【００２７】
オートシートフィーダ付スキャナ１６は、葉書に表と裏とに印刷された画像を基に、それらを表わすデジタルデータを生成する装置である。本発明の説明においては、このようにしてデジタルデータを生成することを「葉書を取り込む」と称する。オートシートフィーダ付スキャナ１６は、搭載されたオートシートフィーダにより、予めオートシートフィーダのトレイに置かれた葉書の画像情報を１枚ずつ取り込むことができる。
【００２８】
図２は、ハードディスクレコーダ１０の構成を表わす図である。図２を参照して、ハードディスクレコーダ１０は、ＤＶＤ（Digital Versatile Disc）ドライブ２０と、ＨＤ（Hard Disk）装置２２と、図示しない外部端子を介して、放送局から送信されるデジタル放送信号を受信する外部のアンテナ６０を接続するチューナ２４と、ＯＳＤ（On Screen Display）５０を内蔵するＭＰＥＧ（Motion Picture Experts Group）コーデックエンジン２６と、メモリ２８と、映像出力部３０と、音声出力部３２と、リモコン受信部３４と、制御部３６と、オートシートフィーダ付スキャナ１６を接続するＵＳＢＩ／Ｆ（Universal Serial Bus Inter Face）３８とを備える。
【００２９】
ＤＶＤドライブ２０は光ディスク（本実施の形態の場合ＤＶＤディスク３００）に記録されたデジタルコンテンツの情報を読出す装置である。ＤＶＤドライブ２０は光ディスクにデジタルコンテンツの情報を記録する装置でもある。
【００３０】
ＨＤ装置２２は、ユーザ所望のデジタルコンテンツの信号をハードディスク４２に記録し、その記録したデジタルコンテンツの信号を読出す装置である。ここで、ハードディスク４２に記録される信号としては、たとえばＭＰＥＧ２規格に準拠する映像ファイルやＭＰ３（MPEG-1 Audio Layer3）規格に準拠する音声ファイルなどが挙げられる。また、ＨＤ装置２２には、制御部３６の動作プログラムが格納される。
【００３１】
ＨＤ装置２２は、記録媒体（本実施の形態の場合ハードディスク４２）が記録した番組を構成する情報のいずれかを読出す読出しヘッド４４と、放送信号とチャプタ（コンテンツの区分）を表わす情報とを記録媒体に記録する記録ヘッド４６とを含む。
【００３２】
チューナ２４は、自らに接続された外部端子が放送信号（外部端子が受付ける放送信号は、アンテナ６０が受信した、放送局から発信されるデジタルコンテンツの信号である）を受付けると、制御部３６により指定されるチャンネルの放送信号（デジタルコンテンツの信号）を抽出して出力する装置である。これにより、チューナ２４は、アンテナ６０が受信した放送のいずれかを選局することとなる。
【００３３】
ＭＰＥＧコーデックエンジン２６は、ＤＶＤドライブ２０により再生されたデジタルコンテンツの信号、ＨＤ装置２２が内蔵するハードディスク４２から読出されたデジタルコンテンツの信号、およびチューナ２４が抽出したデジタルコンテンツの信号のうちのいずれかが制御部３６の切換制御により与えられると、与えられたそのデジタル信号を受付け、復号（デコード）し、出力する装置である。本実施の形態の場合、ＭＰＥＧコーデックエンジン２６は、ＭＰＥＧに従って圧縮された信号の他、ＪＰＥＧ（Joint Photographic Expert Group）に従って圧縮された信号もデコードできることとする。ＭＰＥＧコーデックエンジン２６は、デジタルコンテンツの信号をＤＶＤドライブ２０やＨＤ装置２２に記録させるために、制御部３６の制御により、デジタル信号を圧縮する装置でもある。本実施の形態の場合、デジタル信号のうち、動画を表わす信号はＭＰＥＧに従って圧縮される。ＵＳＢＩ／Ｆ３８を介してオートシートフィーダ付スキャナ１６から入力されたデジタルデータの信号は、ＪＰＥＧに従って圧縮される。ＭＰＥＧコーデックエンジン２６が内蔵するＯＳＤ５０は制御部３６により与えられた情報に基づいて画像情報を作成し、それをモニタ装置１４の画面に可視表示するために映像出力部３０に対して出力する。
【００３４】
メモリ２８には、チューナ２４が受信可能な放送チャンネルが予めチャンネルスキャン（オートスキャン）して取得されて格納される。メモリ２８には、後述する情報の処理のためのフラグやデータも格納されている。
【００３５】
映像出力部３０は、読出しヘッド４４がハードディスク４２から読出し、かつＭＰＥＧコーデックエンジン２６が復号した映像データを出力する装置である。映像出力部３０は、映像データをモニタ装置１４が出力可能な映像信号に変換した後、映像信号をモニタ装置１４に対して出力する。映像出力部３０は、ＯＳＤ５０が作成した情報を出力する装置でもある。
【００３６】
音声出力部３２は、読出しヘッド４４がハードディスク４２から読出し、かつＭＰＥＧコーデックエンジン２６が復号した音声データを出力する装置である。音声出力部３２は、音声データをモニタ装置１４が出力可能な音声信号に変換した後、音声信号をモニタ装置１４に対して出力する。音声出力部３２は、ＯＳＤ５０が作成した情報を出力する装置でもある。
【００３７】
リモコン受信部３４は、赤外線を介してリモコン（リモートコントローラの略）１２から発信される各種の指令信号を受信する装置である。リモコン受信部３４は、受信した指令信号を制御部３６に伝送する。なお、リモコン１２は、ユーザが各種の指令を入力するために操作される装置であり、その指令に対応する赤外線信号を発信する。
【００３８】
制御部３６は、メモリ２８に格納された動作プログラムに基づいて装置各部の制御を行なう装置である。制御部３６は、時刻を検出するために時計を内蔵する。
【００３９】
図３は、制御部３６の機能ブロック図である。図３を参照して、制御部３６の機能は、指令制御部３６０と、画像記録制御部３６２と、繰返し制御部３６４と、順位生成部３６６と、順位記録制御部３６８とを含む。これらの機能は、制御部３６により実現される仮想装置とみなすことができる。また、制御部３６は、そのような仮想装置ではなく、これらの機能を持つＩＣ（Integrated Circuit）を含んでもよい。
【００４０】
指令制御部３６０は、ＵＳＢＩ／Ｆ３８に対し、制御信号を出力する。この制御信号が出力されると、ＵＳＢＩ／Ｆ３８は、オートシートフィーダ付スキャナ１６に対して指令信号を送信する。
【００４１】
画像記録制御部３６２は、ＤＶＤドライブ２０とＨＤ装置２２とＭＰＥＧコーデックエンジン２６とを制御する。画像記録制御部３６２の制御により、オートシートフィーダ付スキャナ１６からＵＳＢＩ／Ｆ３８が受信した画像データはＭＰＥＧコーデックエンジン２６によってエンコードされ、ＤＶＤドライブ２０またはＨＤ装置２２によって記録媒体に記録される。
【００４２】
繰返し制御部３６４は、指令制御部３６０と画像記録制御部３６２とを制御する。この制御により、指令制御部３６０と画像記録制御部３６２とは動作を繰返す。
【００４３】
順位生成部３６６は、ＤＶＤドライブ２０またはＨＤ装置２２に記録された画像ファイルの順位を表わす情報を生成する。この情報が生成されることにより、ＤＶＤドライブ２０またはＨＤ装置２２に記録された画像ファイルの順位が決定されることとなる。
【００４４】
順位記録制御部３６８は、ＤＶＤドライブ２０とＨＤ装置２２とを制御する。この制御により、順位生成部３６６が生成した順位を表わす情報はＤＶＤドライブ２０またはＨＤ装置２２に記録される。
【００４５】
このハードディスクレコーダ１０は、コンピュータハードウェアを含む各種の装置と制御部３６により実行されるソフトウェアとにより実現される。一般的にこうしたソフトウェアは、ハードディスクレコーダ１０の製造の際にハードディスク４２に格納される他、ＤＶＤディスク３００などの記録媒体に格納されて流通されること有り得る。記録媒体に格納されて流通される場合、このソフトウェアは、ＤＶＤドライブ２０などにより記録媒体から読取られてハードディスク４２に一旦格納される。さらにメモリ２８に読出されて、上述した制御部３６により実行される。上述したコンピュータのハードウェア自体は一般的なものである。したがって、本発明の最も本質的な部分は、ＤＶＤディスク３００などの記録媒体に記録されたソフトウェアである。なお、コンピュータ自体の動作は周知であるので、ここではその詳細な説明は繰返さない。
【００４６】
図４を参照して、本実施の形態に係るリモコン１２について説明する。図４は、リモコン１２の外観を表わす図である。このリモコン１２は、ディスプレイ１２０２と、移動キー１２０４と、数字ボタン１２０６と、操作ボタン１２０８とを含む。このリモコン１２は、ハードディスクレコーダ１０に信号を送信する装置である。
【００４７】
移動キー１２０４は、カーソルを上に移動させる旨の指示などを受付けるための上カーソルキー１２１２と、カーソルを下に移動させる旨の指示などを受付けるための下カーソルキー１２１４と、カーソルを右に移動させる旨の指示などを受付けるための右カーソルキー１２１６と、カーソルを左に移動させる旨の指示などを受付けるための左カーソルキー１２１８と、ハードディスクレコーダ１０の設定を確定させる旨の指示や、ＤＶＤディスク３００を取出し可能にさせる旨の指示や、コンテンツの再生を停止させる旨の指示を
受付けるための確定ボタン１２２０とを含む。
【００４８】
操作ボタン１２０８は、押下される回数に応じてテレビの音量を調整することができる音量ボタン１２２２と、同様に調整可能なチャンネルボタン１２２４と、ＤＶＤディスク３００などへコンテンツを録画できる録画ボタン１２２６とを含む。
【００４９】
図５は、本発明の実施の形態に係るオートシートフィーダ付スキャナ１６の構成を表わす図である。図５を参照して、オートシートフィーダ付スキャナ１６は、通信部１６０と、オートシートフィーダ１６２と、走査部１６４と、制御部１６６とを含む。
【００５０】
通信部１６０は、ＵＳＢＩ／Ｆ３８と通信する。オートシートフィーダ１６２は、走査部１６４に葉書を送り込む。走査部１６４は、葉書の表面に表われた画像情報を取込む。制御部１６６は、オートシートフィーダ付スキャナ１６の各部を制御する。
【００５１】
なお、本実施の形態において、「画像情報」とは、画像と対応関係がある情報を意味する。たとえば、画像を走査した結果得られた信号波形は、画像情報の一種である。その他の画像情報の例には、画素の色とその画素の座標とを表わすデータの集合体がある。
【００５２】
図６、図７、および図８を参照して、ハードディスクレコーダ１０で実行されるプログラムは、葉書アルバムの作成に関し、以下のような制御を実行する。
【００５３】
ステップＳ２００にて、制御部３６は、メモリ２８に記憶されたフラグの値に基づいて、差出人の氏名などを取り込むか否かを判断する。差出人の氏名などを取り込むと判断した場合には（ステップＳ２００にてＹＥＳ）、処理はステップＳ２０２へと移される。もしそうでないと（ステップＳ２００にてＮＯ）、処理はステップＳ２２４へと移される。
【００５４】
ステップＳ２０２にて、制御部３６は、ＵＳＢＩ／Ｆ３８に、信号を出力する。ＵＳＢＩ／Ｆ３８は、オートシートフィーダ付スキャナ１６に適した形式にその信号を変換し、オートシートフィーダ付スキャナ１６に送信する。その信号は、オートシートフィーダ１６２に葉書を送り込ませる命令を意味する。
【００５５】
オートシートフィーダ付スキャナ１６の制御部１６６は、その信号を受信すると、葉書を送り込ませるため、オートシートフィーダ１６２を制御する。
【００５６】
オートシートフィーダ１６２は、制御部の制御に従って、葉書を１枚走査部１６４に送り込む。オートシートフィーダ１６２のトレイには、何十枚かの葉書が予め置かれていることとする。走査部は、オートシートフィーダ１６２によって送り込まれた葉書の画像情報を取り込む。画像情報が取り込まれると、走査部１６４は、その画像情報を表わすデジタルデータを通信部１６０に逐次出力する。通信部は、そのデジタルデータの信号をＵＳＢＩ／Ｆ３８に逐次送信する。
【００５７】
ステップＳ２０４にて、ＵＳＢＩ／Ｆ３８は、オートシートフィーダ付スキャナ１６の通信部からデジタルデータの信号を受信する。その信号が受信されると、ＵＳＢＩ／Ｆ３８は、制御部３６が利用できる形式に、その信号を変換する。信号が変換されると、ＵＳＢＩ／Ｆ３８は、その信号を制御部３６に出力する。
【００５８】
ステップＳ２０６にて、制御部３６は、ＵＳＢＩ／Ｆ３８が出力した信号がエラー信号か否かを判断する。本実施の形態において、「エラー信号」とは、オートシートフィーダ１６２が葉書を送り込めなかったことを意味する。ＵＳＢＩ／Ｆ３８が出力した信号がエラー信号と判断した場合には（ステップＳ２０６にてＹＥＳ）、処理はステップＳ２１４へと移される。もしそうでないと（ステップＳ２０６にてＮＯ）、処理はステップＳ２０８へと移される。
【００５９】
ステップＳ２０８にて、ＵＳＢＩ／Ｆ３８は、オートシートフィーダ付スキャナ１６の通信部から受信したデジタルデータの信号を、ＭＰＥＧコーデックエンジン２６が利用できる信号に変換し、ＭＰＥＧコーデックエンジン２６に出力する。ＭＰＥＧコーデックエンジン２６は、その信号を基に、オートシートフィーダ付スキャナ１６が取り込んだデジタルデータをエンコードする。制御部３６は、エンコードされたデータを逐次メモリ２８の所定の領域に記憶させる。本実施の形態では、葉書１枚分のこのようなデータを「画像データ」と称する。
【００６０】
ステップＳ２１０にて、制御部３６は、メモリ２８に記憶された画像データに対し、ＯＣＲ（Optical Character Recognition）処理を実施する。ＯＣＲ処理は、画像データが表わす画像のうち、複数の部分について実施される。一般的に、差出人の郵便番号を記載する位置、その住所を記載する位置、その氏名を記載する位置、その電話番号を記載する位置、およびそのメールアドレスを記載する位置は、葉書においては予め定められている。それらの位置が予め定められているので、画像データが表わす画像のうち、予め定められた部分についてＯＣＲ処理が実施されると、制御部３６は、差出人の郵便番号などを認識することができる。ＯＣＲ処理により認識された文字列データは、メモリ２８に記憶される。
【００６１】
ステップＳ２１２にて、制御部３６は、画像データを１つのファイルとしてハードディスク４２に記録させる。本実施の形態において、このファイルを「画像ファイル」と称する。
【００６２】
ステップＳ２１４にて、制御部３６は、宛名などの取込みが完了したか否かを表わすフラグの値を変更する。これにより、そのフラグの値は、宛名などの取込みが完了した場合の値に変更される。フラグの値が変更されると、制御部３６は、ステップＳ２１０にてメモリ２８に記憶された文字列データをソートする。本実施の形態の場合、ソートにより、文字列データは、文字コードの順に基づいて並替えられる。文字コードの種類は特に限定されないが、本実施の形態の場合、ＪＩＳ（Japanese Industrial Standard） Ｘ ０２０８に規定する文字コードなどが利用できる。本実施の形態の場合、ソートの際、比較の対象となる文字列データは、氏名についてのデータである。氏名が同一の場合、住所についてのデータが比較される。
【００６３】
ステップＳ２１６にて、制御部３６は、ステップＳ２１４にてソートされた文字列データを１つのファイルとしてハードディスク４２に記録させる。本実施の形態において、このファイルを「住所録ファイル」と称する。
【００６４】
ステップＳ２１８にて、制御部３６は、メモリ２８に記憶されたフラグを参照することにより、メインファイルが作成できるか否かを判断する。本実施の形態において、「メインファイル」とは、画像ファイルと住所録ファイルとを基にして葉書アルバムを表示させるためのデータを含むファイルを意味する。本実施の形態におけるメインファイルの構成は、後述する。メインファイルが作成できると判断した場合には（ステップＳ２１８にてＹＥＳ）、処理はステップＳ２２０へと移される。もしそうでないと（ステップＳ２１８にてＮＯ）、処理はステップＳ２２４へと移される。
【００６５】
ステップＳ２２０にて、制御部３６は、位置データを生成する。本実施の形態において、「位置データ」とは、画像データが表わす画像のサムネイルを表示する座標と、そのサムネイルが属する「頁」とを表わすデータを意味する。本実施の形態の場合、ユーザがある「頁」のサムネイルを表示することを指示した場合、その「頁」に属するサムネイルが表示される。
【００６６】
ステップＳ２２２にて、制御部３６は、位置データと、住所録ファイルに含まれた情報と、画像ファイルのファイル名と、情報の表示の際の背景画像を表わす予め定められたファイルのファイル名とを対応付けて、ハードディスク４２に記録させる。これにより、メインファイルが記録されたことになる。
【００６７】
ステップＳ２２４にて、制御部３６は、ＩＳＢＩ／Ｆ３８に、オートシートフィーダ１６２に葉書を送り込ませるための制御信号を送信させる。
【００６８】
オートシートフィーダ付スキャナ１６の通信部は、自らの制御部が利用できる形式にこの信号を変換した後、この信号をその制御部に出力する。
【００６９】
オートシートフィーダ付スキャナ１６の制御部は、この信号を受信すると、走査部に葉書を送り込むように、オートシートフィーダ１６２を制御する。オートシートフィーダ１６２は、その制御に従って、走査部に葉書を送り込む。
【００７０】
オートシートフィーダ付スキャナ１６の走査部は、オートシートフィーダ１６２によって送り込まれた葉書を取り込む。
【００７１】
オートシートフィーダ付スキャナ１６の制御部は、走査部の取り込みによって得られたデジタルデータを通信部に出力する。通信部は、そのデジタルデータをＵＳＢＩ／Ｆ３８に送信する。
【００７２】
ステップＳ２２６にて、ＵＳＢＩ／Ｆ３８は、オートシートフィーダ付スキャナ１６の通信部から受信したデジタルデータの信号を、制御部３６が利用できる信号に変換し、制御部３６に出力する。
【００７３】
ステップＳ２２８にて、制御部３６は、ＵＳＢＩ／Ｆ３８が出力した信号に基づいて、その信号がエラー信号か否かを判断する。エラー信号と判断した場合には（ステップＳ２２８にてＹＥＳ）、処理はステップＳ２３２へと移される。もしそうでないと（ステップＳ２２８にてＮＯ）、処理はステップＳ２３０へと移される。
【００７４】
ステップＳ２３０にて、ＵＳＢＩ／Ｆ３８は、オートシートフィーダ付スキャナ１６の通信部から受信したデジタルデータの信号を、ＭＰＥＧコーデックエンジン２６が利用できる信号に変換し、ＭＰＥＧコーデックエンジン２６に出力する。ＭＰＥＧコーデックエンジン２６は、その信号を基に、オートシートフィーダ付スキャナ１６が取り込んだ画像データをエンコードする。制御部３６は、エンコードされた画像データを、画像ファイルとしてハードディスク４２に記録させる。
【００７５】
ステップＳ２３２にて、制御部３６は、葉書の裏面が表わす画像情報の取込みが完了したか否かを表わすフラグの値を変更する。これにより、そのフラグの値は、葉書の裏面が表わす画像情報の取込みが完了した場合の値に変更される。
【００７６】
図９を参照して、ハードディスクレコーダ１０で実行されるプログラムは、モニタ装置１４への画像の表示に関し、以下のような制御を実行する。
【００７７】
ステップＳ２５０にて、制御部３６は、ハードディスク４２に記録されたメインファイルを開く。
【００７８】
ステップＳ２５２にて、制御部３６は、メインファイルが表わす、背景画像のデータをメモリ２８に複写する。
【００７９】
ステップＳ２５４にて、制御部３６は、メモリ２８に、引数を記憶させる。本実施の形態の場合、引数は、上述した「頁」の初期値を含む。
【００８０】
ステップＳ２５６にて、制御部３６などは、背景画像の中にサムネイルの画像が含まれた画像をモニタ装置１４に表示させる。本実施の形態において、この画像を「アルバム画像」と称する。この処理は、後述するステップＳ２８０からステップＳ２９２までの処理に相当する。
【００８１】
ステップＳ２５８にて、リモコン受信部３４は、ユーザによって操作されたリモコン１２から、制御信号を受信する。リモコン受信部３４は、制御部３６が利用できる形式にこの信号を変換した後、この信号を制御部３６に出力する。
【００８２】
ステップＳ２６０にて、制御部３６は、ステップＳ２５８にてリモコン受信部３４が受信した制御信号が「めくり処理」または「再表示処理」を意味するか否かを判断する。本実施の形態において、「めくり処理」とは、表示中の画像とは別の「頁」を表わすアルバム画像をモニタ装置１４に表示させる処理を意味する。「再表示処理」とは、表示中の画像と同一の「頁」を表わすアルバム画像をモニタ装置１４に表示させる処理を意味する。「めくり処理」または「再表示処理」を意味すると判断した場合には（ステップＳ２６０にてＹＥＳ）、処理はステップＳ２６４へと移される。もしそうでないと（ステップＳ２６０にてＮＯ）、処理はステップＳ２６２に移される。
【００８３】
ステップＳ２６２にて、制御部３６は、ステップＳ２５８にてリモコン受信部３４が受信した制御信号が住所などをモニタ装置１４に表示させるための処理を意味するか否かを判断する。住所などをモニタ装置１４に表示させるための処理を意味すると判断した場合には（ステップＳ２６２にてＹＥＳ）、処理はステップＳ２６８に移される。もしそうでないと（ステップＳ２６２にてＮＯ）、処理は終了する。
【００８４】
ステップＳ２６４にて、制御部３６は、メモリ２８に、引数を記憶させる。引数として含まれる、「頁」の値は、ステップＳ２５８にて受信した制御信号の内容に応じた値となる。たとえば、その制御信号の内容が「めくり処理」の場合、「頁」の値は、モニタ装置１４に表示されているサムネイルが属する「頁」の前または後の値となる。その制御信号の内容が「再表示処理」の場合、「頁」の値は、モニタ装置１４に表示されているサムネイルが属する「頁」と同じ値となる。
【００８５】
ステップＳ２６６にて、制御部３６などは、アルバム画像をモニタ装置１４に表示させる。この処理は、後述するステップＳ２８０からステップＳ２９２までの処理に相当する。
【００８６】
ステップＳ２６８にて、制御部３６は、ＯＳＤ５０に、住所などを表示させるサムネイルの番号の入力を促す画像のデータを作成させる。ＯＳＤ５０は、制御部３６の制御に従い、そのデータを生成する。映像出力部３０は、モニタ装置１４が利用できる信号にそのデータを変換し、モニタ装置１４に出力する。そのデータの出力後、リモコン受信部３４は、ユーザによって操作されたリモコン１２から、制御信号を受信する。リモコン受信部３４は、制御部３６が利用できる形式にこの信号を変換した後、この信号を制御部３６に出力する。制御部３６は、その信号に基づいて、住所などを表示させるサムネイルの番号を認識する。
【００８７】
ステップＳ２７０にて、制御部３６は、ＨＤ装置２２に、ハードディスク４２に記録された住所録ファイルから、ステップＳ２６８にて認識された番号に対応する文字列データを読み出させる。このデータが住所などを意味している。データが読み出されると、制御部３６は、そのデータをＭＰＥＧコーデックエンジン２６に出力させる。ＭＰＥＧコーデックエンジン２６は、このデータをデコードし、ＯＥＤ５０にそのデータと同じ情報を表わす画像のデータを作成させる。映像出力部３０は、そのデータをモニタ装置１４に出力する。モニタ装置１４は、その画像を表示する。これにより、住所などが表示されることとなる。
【００８８】
図１０を参照して、ハードディスクレコーダ１０で実行されるプログラムは、アルバム画像の表示に関し、以下のような制御を実行する。
【００８９】
ステップＳ２８０にて、制御部３６は、メモリ２８に記憶された変数Ｎに値「０」を代入する。
【００９０】
ステップＳ２８２にて、制御部３６は、変数Ｎの値を「１」増加させる。
ステップＳ２８４にて、制御部３６は、ハードディスク４２に記録された画像ファイルを開く。このステップにおいて開かれる画像ファイルは、引数が表わす「頁」の値と、変数Ｎの値とに基づいて、制御部３６により特定される。「頁」の値に係数を乗算し、その後に変数Ｎの値を加算した結果得られた値は、画像ファイルのいずれかに対応付けられている。その対応関係を表わすデータはメインファイルに含まれている。制御部３６は、その対応関係を表わすデータを参照することにより、開く画像ファイルを特定する。なお、本実施の形態の場合、このステップにおいて開かれる画像ファイルは、葉書の裏面についての画像ファイルである。
【００９１】
ステップＳ２８６にて、制御部３６は、ステップＳ２８４にて開かれた画像ファイルに基づき、サムネイルのデータを作成する。作成されたサムネイルのデータはメモリ２８に記憶される。
【００９２】
ステップＳ２８８にて、制御部３６は、ステップＳ２８６にてメモリ２８に記憶させたサムネイルのデータを、ステップＳ２５２にて背景画像のデータを記憶させた領域のいずれかに複写する。どの領域に複写されるかは、メインファイルに含まれた位置データに基づいて特定される。
【００９３】
ステップＳ２９０にて、制御部３６は、次の要件に基づいて、サムネイルのデータをさらに複写できるか否かを判断する。その要件とは、変数Ｎの値が閾値を越えたという要件と、引数が示す「頁」に対応付けられた画像ファイルがないという要件である。本実施の形態の場合、これらの要件のうちいずれかが満たされた場合、サムネイルのデータをさらに複写することはできない。サムネイルのデータをさらに複写できると判断した場合には（ステップＳ２９０にてＹＥＳ）、処理はステップＳ２８２へと移される。もしそうでないと（ステップＳ２９０にてＮＯ）、処理はステップＳ２９２へと移される。
【００９４】
ステップＳ２９２にて、制御部３６は、メモリ２８が記憶し、サムネイルのデータが複写された、背景画像のデータを映像出力部３０に出力する。映像出力部３０は、モニタ装置１４が利用できる形式に、そのデータを変換する。
【００９５】
モニタ装置１４は、その表示用データが入力されると、そのデータに基づき、画像を表示する。
【００９６】
以上のような構造およびフローチャートに基づく、葉書アルバム作成システムの動作について説明する。
【００９７】
［葉書アルバムを作成する場合］
制御部３６は、メモリ２８に記憶されたフラグの値に基づいて、差出人の氏名などを取り込むか否かを判断する（ステップＳ２００）。この場合、差出人の氏名などを取り込むこととすると（ステップＳ２００にてＹＥＳ）、制御部３６は、ＵＳＢＩ／Ｆ３８に、オートシートフィーダ１６２に葉書を送り込ませる信号を送信させる（ステップＳ２０２）。
【００９８】
オートシートフィーダ付スキャナ１６のオートシートフィーダ１６２は、その信号を受信すると、葉書を１枚走査部に送り込む。走査部は、オートシートフィーダ１６２によって送り込まれた葉書の画像情報を取り込む。通信部は、デジタルデータをＵＳＢＩ／Ｆ３８に逐次送信する。
【００９９】
デジタルデータが送信されると、ＵＳＢＩ／Ｆ３８は、オートシートフィーダ付スキャナ１６の通信部からデジタルデータの信号を受信する（ステップＳ２０４）。信号が受信されると、制御部３６は、ＵＳＢＩ／Ｆ３８が出力した信号がエラー信号か否かを判断する（ステップＳ２０６）。この場合、ＵＳＢＩ／Ｆ３８が出力した信号がエラー信号ではないとすると（ステップＳ２０６にてＮＯ）、制御部３６は、画像データを逐次メモリ２８の所定の領域に記憶させる（ステップＳ２０８）。
【０１００】
画像データが記憶されると、制御部３６は、メモリ２８に記憶された画像データに対し、ＯＣＲ処理を実施する（ステップＳ２１０）。
【０１０１】
ＯＣＲ処理が実施されると、制御部３６は、画像ファイルをハードディスク４２に記録させる（ステップＳ２１２）。
【０１０２】
画像ファイルガハードディスク４２に記録されると、ステップＳ２０２〜ステップＳ２１２の処理が繰返される。
【０１０３】
図１１は、このようにしてメモリ２８に記憶された文字列データの例を表わす図である。これらの文字列データは、ステップＳ２１０のＯＣＲ処理にて認識された文字列データである。
【０１０４】
その後、オートシートフィーダ１６２のトレイに載せられていた葉書がすべて取込まれると、オートシートフィーダ付スキャナ１６の通信部は、ＵＳＢＩ／Ｆ３８にエラー信号を送信する。これにより、ＵＳＢＩ／Ｆ３８が出力した信号はエラー信号であると制御部３６が判断すると（ステップＳ２０６にてＹＥＳ）、制御部３６は、ステップＳ２１０にてメモリ２８に記憶された文字列データをソートする（ステップＳ２１４）。
【０１０５】
図１２は、ソートの結果を表わす図である。文字列データは氏名の順に並べ替えられている。また、文字列データが記憶されているアドレスはソート前とは別のアドレスである。ソート前に記憶されていたデータそのものは削除されている。
【０１０６】
文字列データがソートされると、制御部３６は、住所録ファイルをハードディスク４２に記録させる（ステップＳ２１６）。
【０１０７】
この間に、氏名などの情報が取込まれた葉書が、先の場合とは表裏が逆になるようにユーザによってトレイに置かれていることとする。
【０１０８】
葉書がトレイに置かれ、住所録ファイルが記録されると、制御部３６は、メインファイルが作成できるか否かを判断する（ステップＳ２１８）。この場合、まだ葉書の裏面の取り込みが完了していないため、メインファイルが作成できないので（ステップＳ２１８にてＮＯ）、制御部３６は、ＩＳＢＩ／Ｆ３８に、オートシートフィーダ１６２に葉書を送り込ませるための制御信号を送信させる（ステップＳ２２４）。
【０１０９】
オートシートフィーダ付スキャナ１６の走査部は、オートシートフィーダ１６２によって送り込まれた葉書を取り込む。取込まれたデジタルデータは、オートシートフィーダ付スキャナ１６の通信部により、ＵＳＢＩ／Ｆ３８に送信される。
【０１１０】
デジタルデータが送信されると、ＵＳＢＩ／Ｆ３８は、オートシートフィーダ付スキャナ１６の通信部からデジタルデータの信号を受信する（ステップＳ２２６）。信号が受信されると、制御部３６は、その信号がエラー信号か否かを判断する（ステップＳ２２８）。この場合、その信号はエラー信号ではないので（ステップＳ２２８にてＮＯ）、制御部３６は、画像ファイルをハードディスク４２に記録させる（ステップＳ２３０）。
【０１１１】
画像ファイルガハードディスク４２に記録されると、ステップＳ２２４〜ステップＳ２３０の処理が繰返される。
【０１１２】
その後、オートシートフィーダ１６２のトレイに載せられていた葉書がすべて取込まれると、オートシートフィーダ付スキャナ１６の通信部は、ＵＳＢＩ／Ｆ３８にエラー信号を送信する。これにより、ＵＳＢＩ／Ｆ３８が出力した信号はエラー信号であると制御部３６が判断すると（ステップＳ２２８にてＹＥＳ）、制御部３６は、葉書の裏面が表わす画像情報の取込みが完了した場合の値に、フラグの値を変更する（ステップＳ２１４）。
【０１１３】
フラグの値が変更されると、制御部３６は、メインファイルが作成できるか否かを判断する（ステップＳ２１８）。この場合、葉書の裏面の取り込みが完了したため、メインファイルが作成できるので（ステップＳ２１８にてＹＥＳ）、制御部３６は、位置データを生成する（ステップＳ２２０）。位置データが生成されると、制御部３６は、メインファイルをハードディスク４２に記録させる（ステップＳ２２２）。
【０１１４】
［葉書アルバムの情報を表示させる場合］
制御部３６は、ハードディスク４２に記録されたメインファイルを開く（ステップＳ２５０）。メインファイルが開かれると、制御部３６は、背景画像のデータをメモリ２８に複写する（ステップＳ２５２）。データが複写されると、制御部３６は、メモリ２８に、引数を記憶させる（ステップＳ２５４）。引数が記憶されると、制御部３６は、メモリ２８に記憶された変数Ｎに値「０」を代入する（ステップＳ２８０）。
【０１１５】
「０」が代入されると、制御部３６は、変数Ｎの値を「１」増加させる（ステップＳ２８２）。値が「１」増加すると、制御部３６は、ハードディスク４２に記録された画像ファイルを開く（ステップＳ２８４）。画像ファイルが開かれると、制御部３６は、ステップＳ２８４にて開かれた画像ファイルに基づき、サムネイルのデータを作成する（ステップＳ２８６）。サムネイルのデータが作成されると、制御部３６は、そのデータを、ステップＳ２５２にて背景画像のデータを記憶させた領域のいずれかに複写する（ステップＳ２８８）。
【０１１６】
データが上書きされると、制御部３６は、サムネイルのデータをさらに複写できるか否かを判断する（ステップＳ２９０）。この場合、サムネイルのデータをさらに複写できるとすると（ステップＳ２９０にてＹＥＳ）、ステップＳ２８２〜ステップＳ２９０の処理が繰返される。
【０１１７】
その後、複写ができなくなると（ステップＳ２９０にてＮＯ）、制御部３６は、画像をモニタ装置１４に表示させる（ステップＳ２９２）。図１３は、この時点でモニタ装置１４に表示される画像の例を表わす図である。本実施の形態の場合、この図は「頁」が「１」の場合の画像であることとする。
【０１１８】
画像が表示されると、リモコン受信部３４は、ユーザによって操作されたリモコン１２から、制御信号を受信する（ステップＳ２５８）。制御信号が受信されると、制御部３６は、ステップＳ２５８にてリモコン受信部３４が受信した制御信号が「めくり処理」または「再表示処理」を意味するか否かを判断する（ステップＳ２６０）。この場合、その制御信号が「めくり処理」を意味するとすると（ステップＳ２６０にてＹＥＳ）、制御部３６は、メモリ２８に、ステップＳ２５８にて受信した制御信号の内容に応じて、引数を記憶させる（ステップＳ２６４）。この場合、引数として含まれる「頁」の値は「２」であることとする。
【０１１９】
引数が記憶されると、ステップＳ２８０〜ステップＳ２９２の処理を経て、モニタ装置１４に画像が表示される。図１４は、この時点でモニタ装置１４に表示される画像の例を表わす図である。本実施の形態の場合、この図は「頁」が「２」の場合の画像であることとする。
【０１２０】
その後、ステップＳ２５８の処理を経て、制御部３６は、ステップＳ２５８にてリモコン受信部３４が受信した制御信号が「めくり処理」または「再表示処理」を意味するか否かを判断する（ステップＳ２６０）。この場合、「めくり処理」または「再表示処理」をその制御信号が意味しないとすると（ステップＳ２６０にてＮＯ）、制御部３６は、その制御信号が住所などをモニタ装置１４に表示させるための処理を意味するか否かを判断する。この場合、その制御信号が住所などをモニタ装置１４に表示させるための処理を意味するとすると（ステップＳ２６２にてＹＥＳ）、制御部３６は、ＯＳＤ５０に、住所などを表示させるサムネイルの番号の入力を促す画像をモニタ装置１４に表示させる作成させる。画像が表示されると、リモコン受信部３４は、ユーザによって操作されたリモコン１２から、制御信号を受信する。制御部３６は、その制御信号に基づいて、住所などを表示させるサムネイルの番号を認識する（ステップＳ２６８）。
【０１２１】
番号が認識されると、制御部３６は、ステップＳ２６８にて認識された番号に対応する住所などのデータを住所録ファイルから読み出させる。データが読み出されると、制御部３６は、そのデータをモニタ装置１４に表示させる（ステップＳ２７０）。図１５は、この時点でモニタ装置１４に表示される画像の例を表わす図である。
【０１２２】
以上のようにして、本実施の形態に係る葉書アルバム作成システムは、葉書アルバムを作成し、その葉書アルバムに基づいて画像を表示する。表示される葉書の画像は、オートシートフィーダ付きスキャナ１６により連続的に取込まれる。ユーザがいちいち葉書を１枚ずついちいち走査部に置く必要はない。葉書を置く必要がないので、本実施の形態に係る葉書アルバム作成システムは、葉書のような定型のシートに一旦印刷された画像情報を容易に取込むことができる。その結果、定型のシートに一旦印刷された画像情報を容易に取込むことができる画像記録装置、画像データ記録システム、画像記録方法、画像記録プログラム、および画像記録プログラムを記録したコンピュータ読取り可能な記録媒体を提供することができる。
【０１２３】
また、本実施の形態に係る葉書アルバム作成システムは、取込まれた画像情報に対する処理を予め定めた上で画像情報を取込む。一般的に、画像情報を取込んだ場合、その情報に対してどのような処理を施すかということは、ユーザの意思を確認しなければ特定できない。一方、取込まれた画像情報を確認しなければ、取込まれた画像にどのような処理を施すかということをユーザは判断できない。これにより、画像情報が取込まれるたびに、ユーザの意思を確認することが必要になる。これに対し、複数の葉書などに印刷された画像を一度に取込む場合、大抵はその画像を記録することを目的のひとつとする。このため、葉書その他のシートを複数取込む場合には、取込んだ画像をいったん記録媒体に記録することが、ユーザの意図に沿う処理である可能性が高い。このため、１度画像を取込む度に、ユーザの意思を確認する必要がない。ユーザの意思を確認する必要がないため、ユーザはいちいち取込みのための操作を繰り返す必要がなくなる。
【０１２４】
なお、取込まれる画像は、写真その他のシートであってもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２５】
【図１】本発明の実施の形態に係る葉書アルバム作成システムの構成を表わす図である。
【図２】本発明の実施の形態に係るハードディスクレコーダの構成を表わす図である。
【図３】本発明の実施の形態に係るハードディスクレコーダの制御部の機能ブロック図である。
【図４】本発明の実施の形態に係るリモコンの外観を表わす図である。
【図５】本発明の実施の形態に係るオートシートフィーダ付スキャナの構成を表わす図である。
【図６】本発明の実施の形態に係る葉書アルバムの作成処理の制御の手順を示す第１のフローチャートである。
【図７】本発明の実施の形態に係る葉書アルバムの作成処理の制御の手順を示す第２のフローチャートである。
【図８】本発明の実施の形態に係る葉書アルバムの作成処理の制御の手順を示す第２のフローチャートである。
【図９】本発明の実施の形態に係るモニタ装置への画像の表示処理の制御の手順を示すフローチャートである。
【図１０】本発明の実施の形態に係るアルバム画像の表示処理の制御の手順を示すフローチャートである。
【図１１】本発明の実施の形態に係るハードディスクレコーダのメモリに記憶された文字列データの例を表わす図である。
【図１２】本発明の実施の形態に係るハードディスクレコーダのソートの結果を表わす図である。
【図１３】本発明の実施の形態に係るモニタ装置に表示される画像の例を表わす図である。
【図１４】本発明の実施の形態に係るモニタ装置に表示される、「めくり処理」が行われた場合の画像の例を表わす図である。
【図１５】本発明の実施の形態に係るモニタ装置に表示される、住所などが表示された場合の画像の例を表わす図である。
【符号の説明】
【０１２６】
１０  ハードディスクレコーダ、１２  リモコン、１４  モニタ装置、１６  オートシートフィーダ付スキャナ、２０  ＤＶＤドライブ、２２  ＨＤ装置、２４  チューナ、２６  ＭＰＥＧコーデックエンジン、２８  メモリ、３０  映像出力部、３２  音声出力部、３４  リモコン受信部、３６，１６６  制御部、３８  ＵＳＢＩ／Ｆ、４２  ハードディスク、４４  読出しヘッド、４６  記録ヘッド、５０  ＯＳＤ、６０  アンテナ、１６０  通信部、１６２  オートシートフィーダ、１６４  走査部、３００  ＤＶＤディスク、３６０  指令制御部、３６２  画像記録制御部、３６４  繰返し制御部、３６６  順位生成部、３６８  順位記録制御部、１２０２  ディスプレイ、１２０４  移動キー、１２０６  数字ボタン、１２０８  操作ボタン、１２１２  上カーソルキー、１２１４  下カーソルキー、１２１６  右カーソルキー、１２１８  左カーソルキー、１２２０  確定ボタン、１２２２  音量ボタン、１２２４  チャンネルボタン、１２２６  録画ボタン。
【図１】
2008099131.tif 000003
【図２】
2008099131.tif 000004
【図３】
2008099131.tif 000005
【図４】
2008099131.tif 000006
【図５】
2008099131.tif 000007
【図６】
2008099131.tif 000008
【図７】
2008099131.tif 000009
【図８】
2008099131.tif 000010
【図９】
2008099131.tif 000011
【図１０】
2008099131.tif 000012
【図１１】
2008099131.tif 000013
【図１２】
2008099131.tif 000014
【図１３】
2008099131.tif 000015
【図１４】
2008099131.tif 000016
【図１５】
2008099131.tif 000017